(57)【要約】【課題】本発明は、高い耐衝撃性を有し、衝撃によって光学系部材の位置や傾きがずれてしまうことによる画像劣化又は故障が発生することのないレンズ保持装置及び撮像装置を提供する。【解決手段】本発明のレンズ保持装置は、被写体光束を結像するための光学系部材と、上記光学系部材を保持し上記光学系部材を上記被写体光束の光軸に沿って進退移動させる機構部と、上記機構部を保持する保持部と、上記光軸を含む平面に交差する軸周りにおいて上記機構部を上記保持部に対して回動可能に軸支する支持軸部と、上記機構部の上記保持部に対する上記支持軸部周りの位置決めをし、かつ上記機構部の上記保持部に対する上記支持軸部周りの弾性的な変位を許容する位置決め部材と、を具備する構成とした。【選択図】図２
2009151217.tif 000002
【特許請求の範囲】
【請求項１】
被写体光束を結像するための光学系部材と、
上記光学系部材を保持し上記光学系部材を上記被写体光束の光軸に沿って進退移動させる機構部と、
上記機構部を保持する保持部と、
上記光軸を含む平面に交差する軸周りにおいて上記機構部を上記保持部に対して回動可能に軸支する支持軸部と、
上記機構部の上記保持部に対する上記支持軸部周りの位置決めをし、かつ上記機構部の上記保持部に対する上記支持軸部周りの弾性的な変位を許容する位置決め部材と、
を具備することを特徴とするレンズ保持装置。
【請求項２】
上記支持軸部は、上記光軸を含む平面に直交し、かつ上記光軸から所定の距離だけ離間した軸周りにおいて上記機構部を上記保持部に対して回動可能に軸支することを特徴とする請求項１に記載のレンズ保持装置。
【請求項３】
上記機構部は、上記光学系部材を保持する枠状部材と、上記光軸に沿って延在し上記枠状部材を案内する案内軸と、を具備してなることを特徴とする請求項２に記載のレンズ保持装置。
【請求項４】
上記枠状部材は上記案内軸から延出する片持ち構造を有することを特徴とする請求項３に記載のレンズ保持装置。
【請求項５】
上記位置決め部材は、変形することによって上記機構部の上記支持軸部周りの変位に伴い発生する運動エネルギーを熱エネルギーに変換する粘弾性部材であることを特徴とする請求項１から４のいずれか一項に記載のレンズ保持装置。
【請求項６】
請求項１から５のいずれか一項に記載のレンズ保持装置を具備することを特徴とする撮像装置。
【発明の詳細な説明】
【技術分野】
【０００１】
本発明は、被写体光束を結像するための光学系部材と、該光学系部材を保持し被写体光束の光軸に沿って進退移動させる機構部とを具備してなるレンズ保持装置及び撮像装置に関する。
【背景技術】
【０００２】
一般に、カメラ等の撮像装置は、被写体光束を撮像素子の受光面やフィルム面上に結像するための光学系部材であるレンズ、プリズム、反射鏡等を保持枠により保持するレンズ保持装置を具備してなる。レンズ保持装置は、撮像装置のフォーカシング動作やズーミング動作に応じて上記光学系部材を進退移動させる機構を有する。
【０００３】
撮像装置に振動や落下による衝撃が加えられた場合、レンズ等の光学系部材を保持する保持枠の変形や破損が生じることによって光学系部材の位置や傾きがずれてしまい、得られる画像にボケや歪等の劣化が生じたり撮影不能となる故障が生じることがある。
【０００４】
このような、撮像装置のレンズ保持装置の耐衝撃性を向上させる技術として、例えば特開２００５−１７３２４９号公報には、撮像装置の筐体とレンズ保持枠との間に衝撃緩衝材を配設する構成が開示されている。
【０００５】
ここで、図９に、光学系部材を収容したレンズ鏡筒ユニットを、筐体内にゴムブッシュ等の緩衝材により支持する構成を具備した従来の撮像装置であるデジタルカメラ５００の構成を示す。
【０００６】
図９に示す従来のデジタルカメラ５００の筐体は前カバー５０３及び後カバー５０２が接合されることにより構成されている。デジタルカメラ５００の筐体内において、レンズ鏡筒ユニット５０１が、後述する緩衝材を介して前カバー５０３に支持されている。レンズ鏡筒ユニット（レンズ鏡枠）５０１内においてレンズ保持枠に保持されるレンズ等からなる光学系部材は、いわゆる折り曲げ光学系を形成しており、被写体から撮影レンズに向かう光軸Ｏ１と該光軸Ｏ１から９０度下方に折り曲げられて撮像素子５２０に向かう光軸Ｏ２とを有している。
【０００７】
デジタルカメラ５００の撮像光学系部材は、複数のレンズ群により構成されており、第二群レンズ及び第三群レンズは、それぞれ第二群レンズ枠５０４及び第三群レンズ枠５０５により保持されて光軸Ｏ２と平行なガイド軸５０６に沿って図示しないアクチュエータにより進退移動される。
【０００８】
レンズ鏡筒ユニット５０１は、前カバー５０３に立設され、レンズ鏡筒ユニット５０３に光軸Ｏ１と平行に形成された貫通孔５０７、５０８に挿通された支持ピン５０９、５１０により支持されている。また、貫通孔５０７、５０８の内周面と支持ピン５０９、５１０と間には、緩衝材であるゴムブッシュ５１１、５１２が介装されている。
【０００９】
デジタルカメラ５００においては、レンズ鏡筒ユニット５０１は複数の支持ピン５０９、５１０によって位置決めされるとともに、ゴムブッシュ５１１、５１２によって弾性的に支持されている。
【００１０】
デジタルカメラ５００に衝撃が加えられた場合には、ゴムブッシュ５１１、５１２が弾性変形することにより、レンズ鏡筒ユニット５０１に伝わる衝撃が緩和される。
【特許文献１】特開２００５−１７３２４９号公報
【発明の開示】
【発明が解決しようとする課題】
【００１１】
例えば図９に示したデジタルカメラ５００のように、撮像装置の筐体（前カバー５０３）に対してレンズ鏡筒ユニット５０１を緩衝材を介して支持する場合、衝撃が加えられた際のレンズ鏡筒ユニット５０１の変位量は、ゴムブッシュ５１１、５１２の径方向の変形量により決定される。
【００１２】
このゴムブッシュ５１１、５１２の径方向の変形量はデジタルカメラ５００の装置の大きさにより制限される。したがって、図９に示したデジタルカメラ５００においては、自由落下のような大きな衝撃が加えられた場合のレンズ鏡筒ユニット５０１の変位量を十分にとることができず、レンズ鏡筒ユニット５０１に伝わる衝撃を十分に緩和することができないと言う問題がある。
【００１３】
本発明は、上記問題点に鑑みてなされたものであり、高い耐衝撃性を有し、衝撃によって光学系部材の位置や傾きがずれてしまうことによる画像劣化又は故障が発生することのないレンズ保持装置及び撮像装置を提供することを目的とする。
【課題を解決するための手段】
【００１４】
本発明に係るレンズ保持装置は、被写体光束を結像するための光学系部材と、上記光学系部材を保持し上記光学系部材を上記被写体光束の光軸に沿って進退移動させる機構部と、上記機構部を保持する保持部と、上記光軸を含む平面に交差する軸周りにおいて上記機構部を上記保持部に対して回動可能に軸支する支持軸部と、上記機構部の上記保持部に対する上記支持軸部周りの位置決めをし、かつ上記機構部の上記保持部に対する上記支持軸部周りの弾性的な変位を許容する位置決め部材と、を具備することを特徴とする。
【発明を実施するための最良の形態】
【００１５】
以下、本発明の実施形態について図１から図５を参照して説明する。以下に述べる実施形態は、一般にデジタルスチルカメラ、デジタルカメラ、電子カメラ等と称される撮像装置に本発明を適用したものである。
【００１６】
図１は、本実施形態のカメラの前面部の外観を示す斜視図である。図２は、図１のカメラの背面を示す背面図である。なお、図２においては、同カメラの背面側の一部を破いて内部に設けられるレンズ鏡筒ユニットの配置を示している。図３は、図１のカメラの外装部材からレンズ鏡筒ユニットのみを取り出してその組み立て構造を示す分解斜視図である。図４は、レンズ鏡筒ユニットを背面側から見た組立斜視図である。図５は、図２のV-V断面図である。
【００１７】
以下の説明において、図１に示すように、カメラを正立位置で構えた場合のカメラの左右方向をＸ方向とし、Ｘ方向と直交する上下方向をＹ方向とし、Ｘ、Ｙ方向に直交する前後方向をＺ方向とする。Ｚ方向は、被写体光束の光軸Ｏ１と平行な方向（カメラ１の厚み方向）であり、Ｚ方向にてカメラ本体１の被写体側を前側（前面側）とし、撮影者側を後側（背面側）とする。
【００１８】
本実施形態の撮像装置であるカメラ１は、レンズ保持装置を内部に具備して構成されたデジタルカメラであり、略直方体の箱型形状からなる筐体を形成する外装部材と、この外装部材の内部に組み付けられる各種の組立体や電気回路等の構成部材と、この筐体の表面上に配設され前記内部構成部材と電気的又は機械的に接続された各種の情報入出力部材等によって主に構成されている。
【００１９】
具体的に本実施形態のカメラ１は、図１及び図２に示すように、前面、両側面、上面及び底面を覆うように形成された保持部である前面カバー部材２と、主に背面側を覆うように形成された背面カバー部材３とを組み合わせた箱形状の筐体を有する。この筐体の内部の所定の部位には機構部であるレンズ鏡筒ユニット１００が配設されている。
【００２０】
カメラ１の前面部には、内部に配設されたレンズ鏡筒ユニット１００に対して被写体光束を入射させるための撮影用窓２１や閃光発光装置４等が設けられている。
【００２１】
カメラ１の上面部にはシャッターボタン５、電源操作ボタン６等の操作部材が配設されている。また、図示しないがカメラ１の側面部にはストラップ取付金具や、電源電池及び記録媒体を収容する収容室が設けられている。
【００２２】
また、カメラ１の背面部には、例えばズーム操作用ボタンや動作モード設定ボタンや撮影及び再生動作切換ボタンやメニュー表示操作ボタンや撮影領域切換ボタン（マクロボタン）やストロボモード切換ボタンやセルフタイマーボタンや露出補正切換ボタン等、本カメラ１の撮影及び再生時に実行すべき各種の操作入力のための複数の操作部材９と、液晶表示装置、ＥＬ表示装置等からなり情報を表示し出力する表示部１０が設けられている。
【００２３】
図３に示すように、レンズ鏡筒ユニット１００は、カメラ１の前面部に設けられた撮影用窓２１から入射する被写体光束の光軸Ｏ１を三角プリズムの反射面１１１によってＹ方向下向きに折り曲げるとともに、底面側に配設された撮像素子であるＣＣＤ１０２の受光面上に被写体光束を結像する、いわゆる屈曲光学系（折り曲げ光学系）を有して構成されている。以下、三角プリズムの反射面１１１によりＹ方向下向きに折り曲げられた被写体光束の光軸を光軸Ｏ２と称することとする。
【００２４】
レンズ鏡筒ユニット１００は、ＣＣＤ１０２の受光面上に被写体像を結像するレンズ、プリズム、フィルタ等からなる複数の光学系部材と、該光学系部材を保持する複数の枠状部材と、該枠状部材を光軸Ｏ２に沿って進退移動させる駆動部と、シャッタ装置１０３と、が箱形状の固定枠１０１に配設されて構成されている。
【００２５】
具体的には、レンズ鏡筒ユニット１００は、固定枠１０１と、第一群レンズ枠１１０と、第一群レンズ枠１１０の下方に光軸Ｏ２に沿って配されるレンズ保持枠の第二群レンズ枠１２０、シャッタ装置１０３、第三群レンズ枠１３０、第四群レンズ枠１４０とを有しており、さらに、固定枠１０１に支持された光軸Ｏ２と平行な軸部材であるガイド軸１５０、１５１と、リードスクリュー１５４と、ズームカム１５５と、シャッタ駆動モータ１０４と、フォーカシングモータ１５２と、ズーミングモータ１５３とを有している。
【００２６】
第一群レンズ枠１１０は、固定枠１０１の上部に固定されており、内部に光軸Ｏ１を有する第一群レンズ（図示せず）と光軸Ｏ１を光軸Ｏ２に向けて９０°折り曲げるための反射面１１１を有する三角プリズムとを保持している。
【００２７】
枠状部材である第二群レンズ枠１２０は、第二群レンズ１２１を保持する合成樹脂製の保持枠部と、ガイド軸１５１が摺動可能に貫通する軸嵌合部としての金属製のスリーブ１２２と、引張バネ１５７が懸架されるバネ掛け部１２３と、からなる。
【００２８】
第二群レンズ枠１２０には、図示しないガイド部が配設されており、第二群レンズ枠は、該ガイド部によりガイド軸１５１周りの回転が規制されながらガイド軸１５１上において光軸Ｏ２と平行な方向に摺動可能に支持されている。
【００２９】
シャッタ装置１０３は、固定枠１０１に対して固設されており、内部に開閉可能なシャッタ板が収納されている。上記シャッタ板は、シャッタ駆動モータ１０４により開閉駆動される。
【００３０】
第三群レンズ枠１３０は、第三群レンズ１３１を保持する合成樹脂製の保持枠であり、ガイド軸１５０により回転規制された状態でガイド軸１５１により光軸Ｏ２と平行な方向に摺動可能に支持されている。
【００３１】
第四群レンズ枠１４０は、フォーカシングレンズである第四群レンズ１４１を保持する合成樹脂製の枠状部材であり、光軸Ｏ２上においてレンズ鏡筒ユニット１００の下方に配されるＣＣＤ１０２の前方（図３中の上方）に配される。この第四群レンズ枠１４０は、ガイド軸１５１により回転規制された状態でガイド軸１５０により光軸Ｏ２と平行な方向に摺動可能に支持され、リードスクリュー１５４に螺合するナット部材に対して引張バネ１５６の付勢力によって当接した状態で保持されている。
【００３２】
カメラ１の合焦動作時には、フォーカシングモータ１５２により回転駆動されるリードスクリュー１５４を介して第四群レンズ枠１４０が光軸Ｏ２に沿う方向に進退駆動される。
【００３３】
ズームカム１５５は、２つの円筒溝カム部１５５ａ、１５５ｂを有しており、ズーミングモータ１５３により光軸Ｏ２と平行な軸周りに回動される。円筒溝カム部１５５ａには第二群レンズ枠１２０のカム当接部（図示せず）が摺動可能に当接している。また円筒溝カム部１５５ｂには、第三群レンズ枠１３０のカム当接部（図示せず）が摺動可能に当接している。
【００３４】
第二レンズ枠１２０は、第三群レンズ枠１３０に対して引張バネ１５７によって互いに接近する方向に付勢されており、カメラ１のズーム動作時には、ズームカム１５５の回転に伴って円筒溝カム部１５５ａを介して第二群レンズ枠１２０が光軸Ｏ２に沿う方向に進退移動され、同時に円筒溝カム部１５５ｂにより第三群レンズ枠１３０が光軸Ｏ２に沿う方向に進退移動される。
【００３５】
また、レンズ鏡筒ユニット１００の固定枠１０１には、光軸Ｏ２から所定の距離だけＸ方向に離間した位置に、光軸Ｏ１と平行な方向に貫通孔１０６が形成されている。言い換えれば、貫通孔１０６は、光軸Ｏ２を含む平面に直交する軸に沿って形成されている。
【００３６】
また、レンズ鏡筒ユニット１００の第一群レンズ枠１１０の背面側には、光軸Ｏ１と直交する平面と平行な平面部を有する当接部１１２が形成されている。
【００３７】
上述のように構成されるレンズ鏡筒ユニット１００は、図２に示すように、カメラ１の筐体（外装部材）の内部の左側に寄った所定の位置において、保持部である前面カバー部材２によって支持され固定されている。
【００３８】
以下に、レンズ鏡筒ユニット１００のカメラ１の筐体に対する支持固定の構成について詳細に説明する。
【００３９】
レンズ鏡筒ユニット１００は、保持部である前面カバー部材２の内側の底面部２６上に立設された円柱状の支持軸部である支持ピン５０が貫通孔１０６に挿通されることにより、前面カバー部材２に対して支持ピン５０の中心軸Ａ周り（図２中、矢印Ｂ方向）に回動可能に軸支されている。
【００４０】
支持ピン５０は、一端が前面カバー部材２の底面部２６上に突設されたピン用ボス部２２の有底穴部２２ａに嵌合されおり、他端が前面カバー部材２の左側の内側面部に形成された段差部２５上にネジ４４により固定されたピン支持用板４０の貫通孔４２に嵌合されている。この状態において、支持ピン５０は、中心軸Ａが光軸Ｏ１と平行となるように配設される。
【００４１】
また、支持ピン５０には、貫通孔４２の内径よりも大きな外径を有するフランジ部５２が設けられており、該フランジ部５２がピン支持用板４０の前面側に当接することによって、支持ピン５０は軸方向（Ｚ方向）の位置決めがなされている。
【００４２】
前面カバー部材２の段差部２５は、Ｌ字状に前面カバー部材２の左側及び上側の内側面部に延在しており、段差部２５の上側の領域上には押さえ板４５がネジ４８により固定されている。
【００４３】
押さえ板４５は、段差部２５上からＹ方向下向きに延出し、支持ピン５０により支持された状態のレンズ鏡筒ユニット１００の背面側の当接部１１２に当接するように配設されている。
【００４４】
前面カバー部材２の底面部２６上には、所定の高さの当接部２４が突設されており、レンズ鏡筒ユニット１００は、押さえ板４５と当接部２４との間に位置させられ、前面カバー部材２に対する光軸Ｏ１と平行な方向（Ｚ方向）の位置決めがなされている。
【００４５】
段差部２５の左側の領域上には、弾性部材であるコイルばね３１の一端がネジ３２によって固定されている。コイルばね３１の他端は、レンズ鏡筒ユニット１００の上記段差部２５の左側の領域に対向する領域にネジ３３により固定されている。すなわち、コイルばね３１は、前面カバー部材２に対する支持ピン５０の中心軸Ａ周りの回動に伴い圧縮又は伸長するように、前面カバー部材２とレンズ鏡筒ユニット１００との間に張架されている。
【００４６】
レンズ鏡筒ユニット１００は、コイルばね３１によって、前面カバー部材２に対する支持ピン５０の中心軸Ａ周りの回動方向の位置決めがなされている。また、この状態において、レンズ鏡筒ユニット１００は、コイルばね３１の弾性によって、前面カバー部材２に対する支持ピン５０の中心軸Ａ周りの弾性的な変位が許容されている。
【００４７】
なお、コイルばね３１は金属製であってもよいし、樹脂や複合素材等により構成されるものであってもよい。
【００４８】
上述した本実施形態においては、カメラ１が上下面のいずれかを下方に向けた状態で地面等に落下した場合、又はカメラ１の上下面のいずれかに障害物が衝突した場合には、カメラ１の筐体を構成する前面カバー部材２にＹ方向、すなわち光軸Ｏ２に沿う方向の衝撃力が加えられる。
【００４９】
このようなカメラ１に光軸Ｏ２に沿う方向の衝撃力（分力を含む）が加えられた場合、レンズ鏡筒ユニット１００は、前面カバー部材２に対する支持ピン５０の中心軸Ａ周りの回動が許容されているため、該レンズ鏡筒ユニット１００に伝わる衝撃力はコイルバネ３１により緩和される。
【００５０】
一方、図９に示したような従来のデジタルカメラ５００においては、光軸Ｏ２に沿う方向の衝撃力が加えられた場合のレンズ鏡筒ユニット５０１の前カバー５０３に対する変位量は、ゴムブッシュ５１１、５１２の径方向の変形量により決定される。このため、従来のデジタルカメラ５００では、レンズ鏡筒ユニット５０１の変位量を大きくすることができず、衝撃を十分に緩和することができないことがある。
【００５１】
これに対し、本実施形態においては、レンズ鏡筒ユニット１００は光軸Ｏ２から離間した位置に配設された支持ピン５０の中心軸Ａ周りに回動する構成を有するため、特に光軸Ｏ２上に配設された光学系部材である第二群レンズ１２１や第三群レンズ１３１の前面カバー部材２に対する変位量を従来よりも大きく設定することが可能となる。
【００５２】
したがって、本実施形態の撮像装置であるカメラ１は、従来に比して大型化することなくレンズ等の光学系部材に加えられる衝撃を緩和することが可能な構成を有するのであり、高い耐衝撃性を有し、衝撃によって光学系部材の位置や傾きがずれてしまうことによる画像劣化の発生を防止することが可能である。
【００５３】
ところで、本実施形態のカメラ１において、光学系部材を保持する枠状部材である第二群レンズ枠１２０と、この第二群レンズ枠１２０を光軸Ｏ２に沿って案内する案内軸であるガイド軸１５１とに着目した場合、第二群レンズ枠１２０は、比較的比重の高いガラス等により構成される第二群レンズ１２１を保持し、かつガイド軸１５１に直交する方向へ延在する片持ち梁状の構成（片持ち構造）を有する。これは、第三群レンズ枠１３０とガイド軸１５１との関係や、第四群レンズ枠１４０とガイド軸１５０との関係においても同様である。
【００５４】
このような光学系部材の保持形態を有するカメラ１においては、特に光軸Ｏ２に沿う方向の衝撃力が加えられた場合に、光学系部材の位置や傾きがずれてしまうことによる画像劣化が発生しやすい。これは、上述のように、第二群レンズ枠１２０が光軸Ｏ２と直交する方向に延在する片持ち構造を有するため、光軸Ｏ２に沿う方向の衝撃力が加えられた場合に第二群レンズ枠１２０の固定端（基部）近傍やガイド軸１５１との摺動部近傍に応力が集中し、当該部位に変形もしくは破損が生じやすくなるからである。
【００５５】
ここで、本実施形態のカメラ１においては、レンズ鏡筒ユニット１００は前面カバー部材２に対して光軸Ｏ２及びガイド軸１５０、１５１から離間した位置に配設された支持ピン５０の中心軸Ａ周りの回動が許容されている。すなわち、本実施形態においては、レンズ鏡筒ユニット１００は、概ね光軸Ｏ２に沿う方向への変位が許容されているのである。
【００５６】
したがって、本実施形態では、カメラ１に光軸Ｏ２に沿う方向の衝撃力が加えられた場合、レンズ鏡筒ユニット１００が光軸Ｏ２に沿う方向へ変位することにより、片持ち構造の第二群レンズ枠１２０の基部に生じる応力は緩和される。
【００５７】
すなわち、本実施形態によれば、片持ち構造のレンズ枠を有するレンズ保持装置において、レンズ枠の衝撃による変形や破損を防止することができ、高い耐衝撃性を実現することが可能となるのである。
【００５８】
なお、上述した実施形態におけるコイルばね３１は、他の弾性変形可能な部材、例えばウレタンゴムやシリコンゴム等の樹脂や、ねじりばねや板ばね等の他の形態のばねに置き換えることが可能である。その変形例を、図６から図８を参照して以下に説明する。
【００５９】
例えば、本発明に係るカメラ１は、図６に示すように、樹脂製の弾性体である衝撃吸収部材３１ａが、前面カバー部材２とレンズ鏡筒ユニット１００との間に、双方に貼着された状態で介装される形態であってもよい。
【００６０】
ゴム等からなる衝撃吸収部材３１ａは粘弾性を有するため、カメラ１への衝撃力の入力に伴うレンズ鏡筒ユニット１００の中心軸Ａ周りの回動の運動エネルギーを熱エネルギーに変換し、より効率的にレンズ鏡筒ユニット１００に加えられる衝撃を緩和することが可能となる。
【００６１】
衝撃吸収部材３１ａには、例えば、ソルボセイン（登録商標）、アルファゲル（登録商標）等が適用され得る。
【００６２】
また、この衝撃吸収部材は図７に示すように、複数配設される構成であってもよい。図７のカメラ１においては、一対の衝撃吸収部材３１ｂ、３１ｃが前面カバー部材２とレンズ鏡筒ユニット１００との間に所定量だけ圧縮された状態で介装されており、該一対の衝撃吸収部材３１ｂ、３１ｃは、反発力によりレンズ鏡筒ユニット１００を中心軸Ａ周りにそれぞれ対向する方向に回動させるように付勢している。
【００６３】
また例えば、本発明に係るカメラ１は、図８に示すように、複数の板ばね３１ｄ、３１ｅが前面カバー部材２とレンズ鏡筒ユニット１００との間に介装される形態であってもよい。図７に示す変形例においては、前面カバー部材２とに一対の板ばね３１ｄ、３１ｅが固設され、一対の板ばね３１ｄ、３１ｅはレンズ鏡筒ユニット１００を中心軸Ａ周りにそれぞれ対向する方向に回動させるように付勢している。
【００６４】
なお、上述した実施形態のカメラ１が具備するレンズ保持装置は、被写体光束を三角プリズムの反射面１１１により本体下方へ折り曲げる、いわゆる屈曲光学系として構成されたものであるが、本発明に係るレンズ保持装置及び撮像装置はこの構成に限られるものではない。
【００６５】
例えば、レンズ保持装置内において被写体光束の光軸が折り曲げられることなく結像される構成であってもよいし、また被写体光束の光軸が複数の反射面により複数回折り曲げられる構成であってもよい。
【００６６】
また、上述した実施形態においては、撮像装置であるカメラ１にレンズ保持装置が内蔵される形態を示しているが、本発明は、撮像装置の本体部とレンズ保持装置とが分離可能に別体で構成された形態にも適用可能であることは言うまでもない。
【００６７】
上述した実施形態に基づいて、以下の構成を提案することができる。すなわち、  
（付記１）  
レンズ鏡枠を有する撮像装置において、  
ユニット化され上記撮像装置内部に配置されたレンズ鏡枠と、  
上記撮像装置の本体を形成する筐体と、  
上記レンズ鏡枠を上記筐体内に回動可能に設置する回転支持軸と、  
上記レンズ鏡枠と上記筐体との間に配設され、上記筐体に対する位置を決定し、上記レンズ鏡枠の上記回転支持軸周りの回動を許容するばね部材と、  
を有したことを特徴とする撮像装置。
【００６８】
（付記２）  
上記鏡枠は上記回転支持軸に関し両方向に回動が可能であり、上記ばね部材は両方向それぞれに設けられ該回動を可能にすることを特徴とする付記１に記載の撮像装置。
【００６９】
（付記３）  
レンズ鏡枠を有する撮像装置において、  
ユニット化され上記撮像装置内部に配管されたレンズ鏡枠と、  
上記撮像装置の本体を形成する筐体と、  
上記レンズ鏡枠を上記筐体内に回動可能に設置する回転支持軸と、  
上記レンズ鏡枠と上記筐体との間に配置され、上記筐体に対する位置を決定し、上記レンズ鏡枠の上記回転支持軸周りの回動を許容するゴム部材と、  
を有したことを特徴とする撮像装置。  
（付記４）  
上記鏡枠は上記回転支持軸に関し両方向に回動が可能であり、上記ゴム部材は両方向それぞれに設けられ該回動を抑制するためのエネルギー消費部材であることを特徴とする付記３に記載の撮像装置。
【００７０】
（付記５）  
上記レンズ鏡枠は、上記回転支持軸と直交する平面方向に移動するレンズ保持枠と、該レンズ保持枠を案内する案内軸とを有することを特徴とする付記１又は３に記載の撮像装置。
【００７１】
また、本願説明中の数々の実施形態を組み合わせることも適宜行えばよいことはもちろんである。
【００７２】
なお、本発明は、上述した実施形態に限られるものではなく、特許請求の範囲及び明細書全体から読み取れる発明の要旨或いは思想に反しない範囲で適宜変更可能であり、そのような変更を伴うレンズ保持装置及び撮像装置もまた本発明の技術的範囲に含まれるものである。
【００７３】
例えば、本発明に係るレンズ保持装置は、上述の実施形態で説明したカメラ用のレンズ保持装置に限らず、複数の光学系部材を駆動する形態を具備した光学機器にも適用可能であることは言うまでもない。本発明を適用し得る光学機器としては、例えば双眼鏡、望遠鏡、顕微鏡、撮像装置用の光学ファインダや、プロジェクタやプロジェクションテレビのような投射型表示装置が挙げられる。
【００７４】
また、本発明に係る撮像装置は、上述の実施形態で説明したデジタルカメラの形態に限らず、フィルムによる撮影を行うカメラであってもよいし、録音機器、携帯電話、ＰＤＡ、ゲーム機、デジタルビデオカメラ、デジタルメディアプレーヤー、テレビ、ＧＰＳ、時計等の電子機器に配設された撮像装置であってもよいことは言うまでもない。
【図面の簡単な説明】
【００７５】
【図１】カメラの前面部の外観を示す斜視図である。
【図２】カメラの背面を示す背面図である。
【図３】レンズ鏡筒ユニットの組み立て構造を示す斜視図である。
【図４】レンズ鏡筒ユニットを背面側から見た組立斜視図である。
【図５】図２のV-V断面図である。
【図６】本発明の変形例を示す図である。
【図７】本発明の変形例を示す図である。
【図８】本発明の変形例を示す図である。
【図９】従来のデジタルカメラの構成を説明する図である。
【符号の説明】
【００７６】
１  カメラ、  ２  前面カバー部材、  ３  背面カバー部材、  ９  操作部材、  １０  表示部、  ３１  コイルばね、  ４０  ピン支持用板、４５  押さえ板、  ５０  支持ピン、  １００  レンズ鏡筒ユニット、  １０２  ＣＣＤ、  １２０  第二群レンズ枠、  １３０  第三群レンズ枠、  １５１  ガイド軸、Ｏ１  光軸、  Ｏ２  光軸
【図１】
2009151217.tif 000003
【図２】
2009151217.tif 000004
【図３】
2009151217.tif 000005
【図４】
2009151217.tif 000006
【図５】
2009151217.tif 000007
【図６】
2009151217.tif 000008
【図７】
2009151217.tif 000009
【図８】
2009151217.tif 000010
【図９】
2009151217.tif 000011